(57)【要約】      （修正有）【課題】室外機の断熱効率を向上させ、かつ既設の室外機に対しても取り付けが簡単で美観にもすぐれる空気調和機室外機の断熱構造を提供する。【解決手段】空気調和機室外機の上面および両側面ならびに前面を断熱性の板材で構成した断熱ケース１で囲む。板材は粉砕したざくろ石と珪酸ソーダおよび珪酸カリウムを主体とする無機バインダとを混合して型枠内に充填するとともに焼成して発泡させ、板状に成形したものである。必要に応じて金属板等で補強する。【選択図】図１
2014181860.tif 000002
【特許請求の範囲】
【請求項１】
空気調和機室外機の上面および両側面ならびに前面を断熱性の板材で囲ったことを特徴とする空気調和機室外機の断熱構造。
【請求項２】
前記断熱性の板材は、粉砕したざくろ石と、珪酸ソーダおよび珪酸カリウムを主体とする無機バインダとを混合して型枠内に充填するとともに焼成して発泡させ、板状に成形したものである請求項１に記載の空気調和機室外機の断熱構造。
【請求項３】
前記断熱性の板材は、室外機の裏面および底面を除く前記上面および両側面ならびに前面の外側にはめ込み式で組み立てられた断熱ケースとなって室外機を囲っていることを特徴とする請求項１または２に記載の空気調和機室外機の断熱構造。
【請求項４】
前記断熱性の板材は、室外機のケーシングの裏面および底面を除く前記上面および両側面ならびに前面の内側または外側に貼り合わされていることを特徴とする請求項１または２に記載の空気調和機室外機の断熱構造。
【発明の詳細な説明】
【技術分野】
【０００１】
本発明は、住宅、工場、倉庫等の建物に設置する空気調和機室外機の断熱構造に関する。
【背景技術】
【０００２】
住宅、工場、倉庫等の建物に設置される空気調和機としては、室内に置かれる室内ユニットと、屋外に置かれる室外機との間に熱媒を循環させるセパレート形のものが一般的である。室外機は、夏季には室内を冷却し熱を吸収して戻った熱媒を放熱させ、気化分を液化させて室内ユニットに送り返す仕事を行い、冬季は逆に室内を暖房し放熱して戻った熱媒を再加熱して室内ユニットに送り返す仕事を行う。このため室外機には加熱や冷却を行う再生器、凝縮器、蒸発器、吸収器などの機器と共にフィンを有する熱交換器とこれに風を送る送風機等が箱型のケーシング内にコンパクトに収納されている。
【０００３】
室外機は建物の外に設置される。したがって夏季であれば直射日光を受けてケーシング内の温度がかなり上昇するし、冬季であれば積雪によりケーシング内の温度が低下するなどの周辺環境による影響を受け、空気調和機全体の熱効率が大きく低下するという問題点がある。
【０００４】
特許文献１には、エアコンの室外機の日除け装置として、角パイプで構成される上下２組のアーム間に通気性を有するシート材を張設することにより室外機の正面に直射日光が当らないようにすることが記載されている。上下のアームの突き出し長さを変え、室外機の正面に対してシートを斜めにして下の部分を開けるようにすることで熱交換器の送風機の風を遮断せず、かつ日除けの効果を有するようにしている。
【０００５】
特許文献２には、室外機の天面と側面に支持金具を取り付け、取り付け角度を可変としたエアコン室外機の日除け屋根が記載されている。取り付け角度を可変としたことにより、地域の積雪量に対応した屋根角度を設定できるとしている。
【先行技術文献】
【特許文献】
【０００６】
【特許文献１】特開２０１３−１９５９３号公報
【特許文献２】特開平１１−１５９８０９号公報
【発明の概要】
【発明が解決しようとする課題】
【０００７】
このように、室外機に日除けを設けることにより熱効率を向上させようとする提案は従来からいろいろなされているが、単に直射日光を避ける、あるいは積雪を防止するという程度では熱効率向上策としては不十分であり、また日除けを設置したために室外機の周囲の通行が阻害されたり、また室外機本体に穴あけを行うなどの取り付け構造では高度の技術を要し、故障の原因ともなりかねない。
【０００８】
本発明は、室外機の断熱効率を向上させ、かつ既設の室外機に対しても取り付けが簡単で美観にもすぐれる空気調和機室外機の断熱構造を実現することを目的とする。
【課題を解決するための手段】
【０００９】
請求項１に記載の本発明は、空気調和機室外機の上面、両側面、前面を断熱性の板材で囲ったことを特徴とする空気調和機室外機の断熱構造である。
【００１０】
請求項２に記載の本発明は、前記断熱性の板材は、粉砕したざくろ石と、珪酸ソーダおよび珪酸カリウムを主体とする無機バインダとを混合して型枠内に充填するとともに焼成して発泡させ、板状に成形したものである請求項１に記載の空気調和機室外機の断熱構造である。
【００１１】
請求項３に記載の本発明は、前記断熱性の板材は、室外機の裏面および底面を除く前記上面および両側面ならびに前面の外側にはめ込み式で組み立てられた断熱ケースとなって室外機を囲っていることを特徴とする請求項１または２に記載の空気調和機室外機の断熱構造である。
【００１２】
そして請求項４に記載の本発明は、前記断熱性の板材は、室外機のケーシングの裏面および底面を除く前記上面および両側面ならびに前面の内側または外側に貼り合わされていることを特徴とする請求項１または２に記載の空気調和機室外機の断熱構造である。
【発明の効果】
【００１３】
本発明によれば、夏季における室外機の温度上昇、冬季における温度降下を抑制することができるので空気調和機の熱効率が向上するとともに、従来目障りなものとして考えられがちだった室外機の美観を向上させ、さらに室外機を板材で囲むことにより騒音も低減されて建物周辺の環境が改善されるという、すぐれた効果を奏する。
【図面の簡単な説明】
【００１４】
【図１】本発明実施例の断熱ケースを示す斜視図である。
【図２】本発明実施例における正面板を示す斜視図である。
【図３】同じく本発明実施例における正面板を示す斜視図である。
【図４】本発明実施例における２枚の側板を示す斜視図である。
【図５】同じく本発明実施例における２枚の側板を示す斜視図である。
【図６】本発明実施例における屋根を示す斜視図である。
【図７】同じく本発明実施例における他の屋根を示す斜視図である。
【図８】同じく本発明実施例における更に他の屋根を示す斜視図である。
【図９】本発明実施例の板材を示す部分断面斜視図である。
【図１０】同じく本発明実施例の他の板材を示す部分断面斜視図である。
【図１１】本発明に係る空気調和機室外機の一例を示す斜視図である。
【図１２】図１１の室外機に実施例の断熱ケースを取り付けた状態を示す斜視図である。
【発明を実施するための形態】
【００１５】
特開２００４−６９０６０号公報に、粉砕したざくろ石と、珪酸ソーダおよび珪酸カリウムを主体とする無機バインダとを混合して型枠内に充填し、焼成して発泡、成形させてなる板状の断熱材が記載されている。この断熱材は断熱性、耐火性に優れているばかりでなく、内部に微小な空隙が連続しており、気体との接触表面積が大きいことから通気性にも優れ、フィルタとして使用することもできる。
【００１６】
本発明で使用する断熱性の板材は、特にこれに限定するものではないが、この板材が断熱性と通気性を兼ね備えていることから、この板材を使用することが最も好ましい。
【００１７】
以下本発明の好適な実施例について図面により説明する。
【００１８】
図１ははめ込み式で組み立てられた断熱ケース１の一例を示す斜視図である。この断熱ケース１は室外機の正面に対応する正面板１１、その両脇の側板１２，１３、上面の屋根１５の４枚の板材から構成されており、室外機の裏面および底面に対応する板材はない。
【００１９】
各板材は、粉砕したざくろ石と、珪酸ソーダおよび珪酸カリウムを主体とする無機バインダとを混合して型枠内に充填するとともに焼成して発泡させ、板状に成形したものを薄い孔あきの金属板で裏打ちしたもので、その構造は追って図９のところで詳しく説明する。
【００２０】
図２は正面板１１を外側から見た斜視図で、室外機のファンに対応する位置に切り孔（貫通孔）１１１を設けてある。図３はおなじ正面板１１を内側から見た斜視図である。
【００２１】
図４は２枚の側板１２，１３を示す正面側から見た斜視図で、図５は同じく２枚の側板１２，１３を裏側から見た斜視図である。２枚の側板１２，１３は裏側で開き止め部材１４で連結されており、開き止め部材１４は両側の側板１２，１３に対してピン止めされている。また側板１２，１３の下部には位置決め用の座板１２１，１３１が設けられていて、設置する際にピン等を差し込んで位置決めする。
【００２２】
図６は屋根の第１の例１５ａを示す斜視図、図７は第２の例１５ｂを示す斜視図、図８は第３の例１５ｃを示す斜視図である。いずれも外側からの斜視図であるから孔あき金属板が見えているが、その裏側に断熱材が配置されている。図６のものは屋根でいえば切褄形、図７は水平な陸屋根、図８は片流れである。これ以外にもさまざまな形状が可能である。図７のような陸屋根形とすればその上にフラワーポットを並べるなどの利用も可能であり、また、積雪地方であれば図８のような勾配の大きいものが好ましい。それぞれ美観や機能等の観点から任意に選択すればよい。
【００２３】
なお、夏季の冷房運転中に室内機で発生するドレーン（drain、凝縮水）は通常ホース等で室外に排出しているが、本発明の場合これを屋根１５に滴下させるようにすると、その気化熱によって板材が一層冷却され、熱効率がさらに向上する。
【００２４】
つぎにこの断熱ケースの組立、設置手順を説明する。設置場所である室外機の周囲を整地してブロックか木材など簡単な台になるものを置き、図４に示した２枚の側板１２，１３を立てる。室外機の裏側は開き止め部材１４で連結してあるので間隔が決まる。室外機の正面手前に正面板１１を置く。必要に応じて簡単なアングル状の金具を用い、下方を支持する。手前の２箇所、あるいは奥のものを含め４箇所の座板１２１，１３１が台に載ったら、釘かピンを打ち込んで下まわりを固定する。最後に屋根１５をかぶせる。屋根１５の四辺の折り曲げ部分が正面板１１と側板１２，１３とを囲むようにかぶせられるので、全体が固定される。
【００２５】
このように、本発明の断熱ケースの取り付けは、室外機のまわりで組立作業を行うだけでよいので、室外機本体に孔をあけたり、ボルト締めを行う等の専門的な技能を必要としない。
【００２６】
断熱ケースの幅、高さ、奥行き等の寸法は対象となる室外機に対応して決めればよいが、一例を挙げれば幅９５０ｍｍ、高さ１０００ｍｍ、奥行き５００ｍｍである。
【００２７】
図９は実施例の断熱ケースを構成する板材の部分断面斜視図である。板材は薄い金属板Ｐの縁部を折り曲げ、内側に断熱材Ｂを嵌め込んだものである。金属板Ｐは、例えば厚さ０．８ｍｍの亜鉛鉄板のほぼ全面に５０ｍｍ間隔で直径２０ｍｍの孔をあけた孔あき板である。孔を設けた理由は、断熱材Ｂに通気性があることから、空気や水の透過を行わせるためであるが、屋根以外の正面や側面については特に孔をあけなくてもよい。断熱材Ｂは例えば厚さ２０ｍｍの板状である。
【００２８】
図１０は断熱ケースを構成する板材の他の実施例を示す部分断面斜視図である。孔あき板に代えてコの字断面の溝形鋼状に加工した金属の枠体Ｆを使用し、これで断熱材Ｂの周囲を囲み、パネル状とする。孔あき板に比べて水や空気の透過面が広くなる利点があるが、板材にものがあたって凹んだり、汚れたりするおそれがある。
【００２９】
図１１は室外機の一例を示す斜視図、図１２はこれに本発明実施例の断熱ケース１を取り付けた状態を示す斜視図である。板材の表面を快い色に塗装したり、模様やイラストを描いたりすれば、室外機の美観が一層向上する。
【００３０】
さらに、粉砕したざくろ石を発泡させてなる板材は遮音性にもすぐれるので、この板材で室外機を囲むことによって、近年、ビル屋上や庭先などで近隣住民によりしばしば問題となっている室外機に起因する騒音公害が改善できる。
【００３１】
以上、既設の室外機に断熱ケースを取り付ける場合について説明したが、空気調和機の製造段階で室外機のケーシングに本発明のものと同様の断熱材を裏貼りするなどすれば、断熱性が向上し、本発明の効果が得られることは、いうまでもない。
【符号の説明】
【００３２】
１…断熱ケース、  １１…正面板、  １２，１３…側板、  １４…開き止め部材、  １５…屋根、  １１１…切り孔、  １２１，１３１…座板、  １４１…ピン、  Ａ…空気調和機室外機、  Ｂ…断熱材、  Ｆ…枠体、  Ｐ…金属板。
【図１】
2014181860.tif 000003
【図２】
2014181860.tif 000004
【図３】
2014181860.tif 000005
【図４】
2014181860.tif 000006
【図５】
2014181860.tif 000007
【図６】
2014181860.tif 000008
【図７】
2014181860.tif 000009
【図８】
2014181860.tif 000010
【図９】
2014181860.tif 000011
【図１０】
2014181860.tif 000012
【図１１】
2014181860.tif 000013
【図１２】
2014181860.tif 000014